(57)【要約】【課題】展開長を抑えて切削加工機による展開紙の加工を行い易くし、底板と妻板との連結角部における精度および強度を良好に保つ。【解決手段】棺本体１２の展開紙Ｐ1は、底板１２Ａの横方向両側に縦Ｖ溝ｙ1を隔てて側板１２Ｂが設けられ、縦方向両側に横Ｖ溝ｘ1を隔てて下部妻板１２Ｃが設けられる。側板１２Ｂの開口端部を縦方向に延長する位置には、横Ｖ溝ｘ2を隔てて上部妻板１２Ｄ，１２Ｄが設けられる。上部妻板１２Ｄ，１２Ｄの縦寸法は、棺本体１２の高さ寸法より短い長さに設定される。展開紙Ｐ1の組み立て時には、底板１２Ａに対して側板１２Ｂおよび下部妻板１２Ｃを縦Ｖ溝ｙ1および横Ｖ溝ｘ1に沿って折り曲げ、側板１２Ｂに対して上部妻板１２Ｄ，１２Ｄを横Ｖ溝ｘ2に沿って折り曲げることにより、下部妻板１２Ｃと、一対の上部妻板１２Ｄ，１２Ｄとが同一面上に連結される。【選択図】図３
2008161509.tif 000002
【特許請求の範囲】
【請求項１】
底板、側板および妻板を含む展開紙を、各板の境界に沿って形成されるＶ溝に沿って折り曲げることにより箱体を組み立てるようにした段ボール棺において、
前記箱体の展開紙は、
底板と、
この底板の横方向両側に縦Ｖ溝を隔てて設けられる側板と、
前記底板の縦方向両側に横Ｖ溝を隔てて設けられる下部妻板と、
前記側板の開口端部を縦方向に延長する位置に横Ｖ溝を隔てて設けられ、前記箱体の高さ寸法より縦寸法が短く設定される上部妻板とを備え、
前記展開紙の組み立て時には、前記底板に対して前記側板および前記下部妻板が前記縦Ｖおよび前記横Ｖ溝に沿って折り曲げられ、かつ、前記側板に対して前記上部妻板が前記横Ｖ溝に沿って折り曲げられることにより、前記下部妻板と、一対の前記上部妻板とが同一面上に連結されることを特徴とする段ボール棺の妻板構造。
【請求項２】
請求項１記載の段ボール棺の妻板構造であって、前記展開紙における前記上部妻板の縦寸法を、前記下部妻板の横寸法の１／２に設定する、段ボール棺の妻板構造。
【請求項３】
請求項１記載の段ボール棺の妻板構造であって、前記展開紙における前記上部妻板の縦寸法が、前記下部妻板の横寸法の１／２未満の長さに設定され、前記展開紙の組み立て時には、前記一対の上部妻板の間に生じる隙間を埋めるように、各板に補助板が連結される、段ボール棺の妻板構造。
【請求項４】
請求項１〜３のいずれか一項記載の段ボール棺の妻板構造であって、前記展開紙における前記上部妻板と前記下部妻板との縦方向の先端位置が同一直線上に揃うように設定される、段ボール棺の妻板構造。
【請求項５】
請求項１〜４のいずれか一項記載の妻板構造を備えた段ボール棺。
【発明の詳細な説明】
【技術分野】
【０００１】
本発明は、段ボール棺に関するもので、詳しくは、段ボール棺の展開紙における妻板構造に関するものである。
【背景技術】
【０００２】
近年、木製棺に代わる素材として段ボール棺が注目されている。この種の段ボール棺は、木製棺に比べ軽く、燃焼性に優れ、段ボール材からなる展開紙を折り曲げ加工することによって簡単に組み立てることができるという利点を有している。
【０００３】
従来の段ボール棺の一例を図１８および図１９に示した。段ボール棺１は、箱状の棺本体２と蓋３とが厚手の強化段ボール材により形成されている。棺本体２の展開紙Ｐ0は、図１９に示すように、矩形の底板２Ａの横方向両側に側板２Ｂ，２Ｂが設けられ、底板２Ａの縦方向両側に妻板２Ｃ，２Ｃが設けられる。底板２Ａの各辺には、側板２Ｂおよび妻板２Ｃとの境界に沿ってほぼ９０゜角でＶ字状にカットされた縦Ｖ溝ｙ0、横Ｖ溝ｘ0が形成されており、これらの縦Ｖ溝ｙ0、横Ｖ溝ｘ0に沿って側板２Ｂと妻板２Ｃを垂直に折り曲げて図１８に示す箱状の棺本体２を組み立てる。
【０００４】
側板２Ｂおよび妻板２Ｃの開口端部には、棺本体２の強度を高めるための折返し板２Ｄが設けられており、この折返し板２Ｄは、図１９に示すように、展開紙Ｐ0の側板２Ｂ，２Ｂおよび妻板２Ｃ，２Ｃの開口端部に必要な幅の紙片をＷ溝（ほぼ９０゜角にカットされたＶ溝を２列に並設して形成した溝）に沿って折り返すようにしている。
なお、従来の段ボール棺の製法に関する技術としては、例えば特許文献１〜３が開示されている。
【０００５】
【特許文献１】特開平９−２１５７１８号公報
【特許文献２】特開２００５−５２４０７号公報
【特許文献３】特開２００５−１８７０４９号公報
【発明の開示】
【発明が解決しようとする課題】
【０００６】
しかしながら、このような従来の段ボール棺では、展開紙Ｐ0の縦方向の長さ（縦寸法）、すなわち底板２Ａと２枚の妻板２Ｃ，２Ｃとを含めた展開紙Ｐ0の展開長Ｌが極めて大きくなる。一般に、切削加工用の標準機では、２〜２．４ｍ程度の長さまで対応することができるが、大型の段ボール棺を製作する場合には、上記の標準機では対応できず、大型サイズにも対応できる専用機を導入することを余儀なくされてしまう。特に、側板２Ｂおよび妻板２Ｃの開口端部に折返し板２Ｄを設ける構成では、展開長Ｌが折返し板２Ｄ，２Ｄの板幅と折返し用のＷ溝の溝幅とを加えた分だけ長くなるため、上記の対応がさらに困難となる。
【０００７】
これに対し、展開紙Ｐ0の作製を標準機で対応するために、底板２Ａから妻板２Ｃ，２Ｃを分離した展開紙を作製し、別個に作製した妻板２Ｃ，２Ｃを後付けする方法が考えられる。このような段ボール棺では、その展開紙の展開長Ｌが２枚の妻板２Ｃ，２Ｃを除いた底板２Ａのみの長さになるため、前述した従来の展開紙Ｐ0に比べ展開長が大幅に短くなる。ところが、上記のように展開紙Ｐ0から妻板２Ｃ，２Ｃを分離して後付けする構成では、底板２Ａ，側板２Ｂの端面に妻板２Ｃの端面を垂直に保って正確に位置決めして連結しなければならず、このような連結角部の寸法精度を出しにくく、また、連結角部の強度が低下しやすくなる。
【０００８】
本発明は、このような現状に鑑みなされたもので、展開長を抑えて切削加工機による展開紙の加工を行い易くし、かつ、底板と妻板との連結角部における精度および強度を良好に保てるようにした段ボール棺の妻板構造を提供することを目的としている。
【課題を解決するための手段】
【０００９】
［第１発明］
前記課題を解決するための本発明の段ボール棺の妻板構造は、
底板、側板および妻板を含む展開紙を、各板の境界に沿って形成されるＶ溝に沿って折り曲げることにより箱体を組み立てるようにした段ボール棺において、
前記箱体の展開紙は、
底板と、
この底板の横方向両側に縦Ｖ溝を隔てて設けられる側板と、
前記底板の縦方向両側に横Ｖ溝を隔てて設けられる下部妻板と、
前記側板の開口端部を縦方向に延長する位置に横Ｖ溝を隔てて設けられ、前記箱体の高さ寸法より縦寸法が短く設定される上部妻板とを備え、
前記展開紙の組み立て時には、前記底板に対して前記側板および前記下部妻板が前記縦Ｖおよび前記横Ｖ溝に沿って折り曲げられ、かつ、前記側板に対して前記上部妻板が前記横Ｖ溝に沿って折り曲げられることにより、前記下部妻板と、一対の前記上部妻板とが同一面上に連結される構成とした。
【００１０】
このような構成によれば、段ボール棺を構成する箱体の展開紙において、妻板の板面が下部妻板と上部妻板とに分離して形成される。下部妻板の縦寸法は、図１９に示す従来の展開紙の妻板と比較して上部妻板を除く分だけ短くなる。
また、上部妻板については、展開紙において側板の開口端部に縦向きになって配置されることになるが、その縦寸法が箱体の高さ寸法より短い長さに抑えられるので、前述した従来の展開紙の妻板（図１９参照）よりも縦寸法が短くなる。
この結果、本発明の展開紙によれば、従来の展開紙よりもその縦寸法（展開長）を短くすることができる。
【００１１】
また、本発明の構成によれば、側板と妻板の開口端部に折返し板を設ける場合、展開紙の横方向の両端部、すなわち側板および上部妻板の開口端部に折返し板とＷ溝との幅を確保すればよいから、折返し板とＷ溝の長さが展開紙の縦寸法（展開長）に関与しない。このため、側板と妻板の開口端部に折返し板を設ける場合でも、展開紙の展開長を折返し板がない場合と同様な長さに設定することが可能になり、標準加工機でもその展開紙を容易に作製することが可能になる。
【００１２】
さらに、本発明の構成によれば、下部妻板と上部妻板とが横Ｖ溝で折り曲げられてそれぞれ底板と側板とに連結されるため、各板の端面を正確に位置決めして貼り合わせることができる。このため、これらの連結角部に高い寸法精度を出すことができ、また、貼り合わせ面の剥がれやズレを抑えてこれらの連結角部の固定強度を高く保つことができる。
【００１３】
［第２発明］
第２発明による段ボール棺の妻板構造は、第１発明の構成を備えるものであって、前記展開紙における前記上部妻板の縦寸法を、前記下部妻板の横寸法の１／２に設定する構成とした。
【００１４】
このような構成によれば、展開紙の組み立て時に、底板に対して側板と下部妻板とを垂直に折り曲げ、対向する一対の上部妻板を内向き垂直に折り曲げると、これらの２枚の上部妻板の先端同士が底板の横方向の中間位置で連結されることになる。
２枚の上部妻板のうちの一方が他方よりも長い関係では、上部妻板の連結位置が底板の横方向の中間位置からズレるため、これらを展開した場合に２枚の上部妻板のうち一方の縦寸法が下部妻板の横寸法の１／２よりも長くなってしまう。
第２発明の構成では、展開紙における上部妻板の縦寸法を、底板の横寸法の１／２に設定することで、展開紙における上部妻板の縦寸法を最短の長さとし、展開紙の展開長を抑えることができる。
【００１５】
［第３発明］
第３発明による段ボール棺の妻板構造は、第１発明の構成を備えるものであって、前記展開紙における前記上部妻板の縦寸法が、前記下部妻板の横寸法の１／２未満の長さに設定され、前記展開紙の組み立て時には、前記一対の上部妻板の間に生じる隙間を埋めるように、各板に補助板が連結される構成とした。
【００１６】
単一の展開紙のみを使用して箱体を組み立てる場合には、前述したとおり（第２発明）、展開紙における上部妻板の縦寸法を下部妻板の横寸法の１／２に設定することで展開長を最短にすることができるが、上部妻板の縦寸法がこれよりも短い場合には、展開紙の組立時に、上部妻板の間に隙間が生じてしまう。
第３発明によれば、展開紙における上部妻板の縦寸法を下部妻板の横寸法の１／２未満とし、展開紙の組み立て時に上部妻板の間に積極的に隙間を空けるようにし、この隙間を補助板で埋める。この結果、展開紙における上部妻板の縦寸法を、下部妻板の横寸法に関係なく設定することが可能になり、展開紙の縦寸法（展開長）をさらに短くすることができる。
【００１７】
［第４発明］
第４発明による段ボール棺の妻板構造は、第１〜３発明のいずれか一の構成を備えるものであって、前記展開紙における前記上部妻板と前記下部妻板との縦方向の先端位置が同一直線上に揃うように設定される構成とした。
【００１８】
このような構成によれば、上部妻板と下部妻板の縦方向の先端位置が同一直線上に揃うため、段ボール板から展開紙を作製するときに、直線方向に１カットで上部妻板および下部妻板の先端外形を同時に形成することができる。このため、展開紙の作製が極めて簡単になる。
また、上部妻板と下部妻板の先端位置が揃うことで、矩形の段ボール板を効率よく使用することができ、端切れ材が少なくなって段ボール材の節約を図ることができる。
【００１９】
［第１〜４発明］
第１〜４発明は、底板、側板および妻板を含む展開紙を折り曲げて箱体を形成する段ボール棺に適用することができる。棺本体と蓋とを組み合わせる段ボール棺では、通常は、展開長が蓋よりも長くなる棺本体に本発明を適用されることが想定されるが、展開長を短くする目的で段ボール棺の蓋に本発明を適用してもよい。また、段ボール棺の用途（人用、ペット用等）や種類（寝棺、座棺等）は、特に限定されることはない。
【００２０】
なお、第１〜４発明は、単独で適用してもよいし、これらの発明を必要に応じて組み合わせて適用することもできる。また、第１〜４発明に本明細書に記載される他の発明を組み合わせてもよい。
【発明を実施するための最良の形態】
【００２１】
以下、本発明の実施形態を図面に基づいて説明する。本実施形態は、段ボール棺の棺本体に本発明を適用したものである。
【００２２】
［第１実施形態］
第１実施形態の段ボール棺を図１〜図５に示した。
図１および図２に示すように、段ボール棺１０は、箱状の棺本体１２と蓋１３とからなる。棺本体１２および蓋１３は、厚手の強化段ボール材からなり、後述の展開紙Ｐ1を折り曲げて組み立てられる。
段ボール棺１０の表面は布などの装飾材で覆われる。段ボール棺１０の寸法としては、例えば長さが１７０〜２００ｃｍ程度、幅が５０〜７０ｃｍ程度、棺本体１２と蓋１３を含めた高さが４０〜５０ｃｍ程度に形成される。
【００２３】
蓋１３の片寄りの位置には窓枠１４が設けられる。この窓枠１４には観音扉が取り付けられ、これらの扉を開くことで棺の内部が覗けるようになっている。
【００２４】
段ボール棺１０を作製するための段ボール板には、三層強化段ボール材（例えばトライウォール社製）が使用される。この種の段ボール板は、図２のＲ部分拡大図に示すように、２枚の厚板（ライナー）Ｒf，Ｒbとの間に、３層の波板ｒ1〜ｒ3が仕切り板ｒ4およびｒ5を介して積層されてなり、優れた耐圧性・耐水性をもつ。段ボール板に折り曲げ用のＶ溝またはＷ溝を形成する際には、これらの層のうち厚板Ｒf，Ｒbのいずれか一枚を残して他の層を切削する。これにより、段ボール板を折り曲げる際には、残した片方の厚板のみを折り曲げて、傾斜する各板の切削面（端面）を一致させて接着する。
【００２５】
図３に棺本体１２の展開紙Ｐ1を示した。
展開紙Ｐ1は、矩形の底板１２Ａの横方向両側に縦Ｖ溝ｙ1を隔てて側板１２Ｂ，１２Ｂが設けられ、底板１２Ａの縦方向両側に横Ｖ溝ｘ1を隔てて下部妻板１２Ｃ，１２Ｃが設けられる。側板１２Ｂ，１２Ｂの開口端部を延長する位置には、横Ｖ溝ｘ2，ｘ2を隔てて上部妻板１２Ｄ，１２Ｄが設けられている。
各Ｖ溝ｙ1，ｘ1，ｘ2は、ほぼ９０゜角の断面Ｖ字状に切削されて各板の境界線上に形成される。これにより、展開紙Ｐ1の各板をほぼ垂直に折り曲げて棺本体１２を組み立てることができる。
【００２６】
下部妻板１２Ｃの横方向両側には、上部妻板１２Ｄとの間に横幅ｈの間隔が保たれる。この横幅ｈは、下部妻板１２Ｃの縦寸法ｈと同一長さに設定され、これにより、底板１２Ａに対して下部妻板１２Ｃと側板１２Ｂとを垂直に立ち上げると、両者の端面が上部妻板１２Ｄの下方で隙間なく連結される。
【００２７】
上部妻板１２Ｄ，１２Ｄの縦寸法ｈは、下部妻板１２Ｃの横寸法２ｈの半分に設定される。これにより後述するように、下部妻板１２Ｃの上方で側板１２Ｂに対して上部妻板１２Ｄ，１２Ｄを垂直に折り曲げると、これらの先端が下部妻板１２Ｃの横寸法２ｈの中間位置でぴったり一致して連結されることになる。
【００２８】
また、上部妻板１２Ｄ，１２Ｄの縦寸法ｈと、下部妻板１２Ｃと縦寸法ｈとは同一の長さに設定されている。これにより、展開紙Ｐ1において、上部妻板１２Ｄ，１２Ｄと下部妻板１２Ｃの縦方向の先端位置が同一直線上に揃うため、段ボール板から展開紙Ｐ1を作製する際に、上部妻板１２Ｄ，１２Ｄと直線方向に１カットでこれらの外形端を形成することができ、その加工作業を大幅に簡略化することができる。また、矩形の段ボール板から下部妻板１２Ｃと上部妻板１２Ｄを切り出すときに生じる端切れ材の量が少なくなり、段ボール板を有効利用して材料の節約を図ることが可能になる。
【００２９】
側板１２Ｂ，１２Ｂと上部妻板１２Ｄ，１２Ｄとの開口端部には、折返し板１２Ｅが設けられている。この折返し板１２Ｅは、展開紙Ｐ1の横方向両端部の紙片を、Ｗ溝（９０゜角の断面Ｖ字状のＶ溝を並設してなる溝：図４参照）ｙ2により一定幅で折り返して形成されるもので、棺本体２の箱形状の強度を高める役割を果たす。
【００３０】
展開紙Ｐ1を作製する場合、図４に示すように、まず、所定の寸法で切断された矩形の段ボール板Ｑを準備し、この板面の縦方向に縦Ｖ溝ｙ1，ｙ1およびＷ溝ｙ2を切削加工して形成する。
【００３１】
次に、Ｗ溝ｙ2に沿って折返し板１２Ｄの幅に相当する紙片を内側に折り返した状態で、段ボール板Ｑの横方向に図３に示す横Ｖ溝ｘ1，ｘ2を切削加工する。
なお、各Ｖ溝およびＷ溝は、切削機に専用の回転刃をセットし、段ボール板Ｑの板面上に回転刃を直線上に移動させて切削することにより形成することができる。この場合、溝間隔に合わせて必要な数の回転刃をセットして、縦方向または横方向の溝を複数同時に切削すると、縦横２回の切削工程で各Ｖ溝およびＷ溝を短時間で精度よく仕上げることができる。
【００３２】
段ボール板Ｑに各Ｖ溝およびＷ溝を形成した後、下部妻板１２Ｃ、側板１２Ｂおよび上部妻板１２Ｄに隣接する部分に縦横長さｈのコ字状の切り込みを入れて矩形の紙片を切り取る。コ字状の切り込みのうち、下部妻板１２Ｃと側板１２Ｂに接する部分は、各Ｖ溝の中心線に沿って切断すればよく、上部妻板１２Ｄに接する部分は、予め切断位置にカッター等を位置決めして、段ボール板Ｑの板面を寸法ｈに合わせて垂直に切断する。こうすることで、これらの板の間に長さｈの矩形の隙間が形成されて展開紙Ｐ1が完成する。
【００３３】
展開紙Ｐ1の組立方法については、例えばまず、底板１２Ａの縦方向両側で横Ｖ溝ｘ1に沿って下部妻板１２Ｃを垂直に折り曲げ（図５参照）、横Ｖ溝ｘ2に沿って上部妻板１２Ｄ，１２Ｄを垂直に折り曲げて、これらの連結端面を接着する。
次いで、底板１２Ａの横方向両側で縦Ｖ溝ｙ1に沿って側板１２Ｂを垂直に立ち上げる。すると、図１に示すように、下部妻板１２Ｃと側板１２Ｂの端面同士が連結されるとともに、下部妻板１２Ｃの上端に上部妻板１２Ｄ，１２Ｄの下端が載った状態で連結され、２枚の上部妻板１２Ｄ，１２Ｄの先端が底板１２Ａの横寸法の中間位置でぴったり一致して連結される。そして、これらの連結面を接着して固定することで、箱状の棺本体１２が完成する。
【００３４】
展開紙Ｐ1の折り曲げ順序については、上記に限定されることなく、側板１２Ｂ、下部妻板１２Ｃ、上部妻板１２Ｄのいずれを先に折り曲げてもよい。最終的に、各板が連結されて箱状の棺本体１２が完成すればよい。
【００３５】
このように本実施形態によれば、棺本体２の妻板部分が下部妻板１２Ｃと上部妻板１２Ｄ，１２Ｄとに分離させて同一の縦寸法に形成されるため、展開紙Ｐ1の展開長を短くすることができる。図１９に示す従来の展開紙Ｐ0と比較した場合、展開紙Ｐ1では、上部妻板１２Ｄの横寸法の２倍の長さ分、展開長が短くなる。
【００３６】
また、本実施形態では、側板１２Ｂおよび上部妻板１２Ｄの開口端部に折返し板１２Ｅを設けても、展開紙Ｐ1が横方向のみに延長されて縦方向に延長されないから、展開紙Ｐ1の展開長を折返し板１２ＥとＷ溝の長さ分だけ長くする必要がない。具体的に示せば、図１９の従来例の場合、展開紙Ｐ0に折返し板２Ｅを設けるために、（折返し板２Ｅの長さ＋Ｗ溝の長さ）×２の長さ分を展開長に含むことになるが、本実施形態の展開紙Ｐ1では、これらに相当する長さ、すなわち（折返し板１２Ｅの長さ＋Ｗ溝ｚの長さ）×２の長さ分についても、展開紙Ｐ1の展開長を短くすることができる。この結果、一般的な切削加工機であっても、展開紙Ｐ1の作製を容易に行うことが可能になる。
【００３７】
さらに、第１実施形態の展開紙Ｐ1では、下部妻板１２Ｃと上部妻板１２Ｄ，１２Ｄが横Ｖ溝ｘ1で折り曲げられてそれぞれ底板１２Ａと側板１２Ｂとに連結されるため、各板の端面同士を簡単かつ正確に一致させて接着することができる。このため、これらの板の連結角部における寸法精度を出しやすく、接着面の強度も良好になり、棺本体１２の品質を高めることができる。
【００３８】
［第２実施形態］
図６および図７に第２実施形態を示した。
第２実施形態は、棺本体２０の下部妻板２２Ｃおよび上部妻板２２Ｄ，２２Ｄに補助板２５を連結したものである。
図６に示すように、棺本体２０は、下部妻板２２Ｃの上方に矩形の隙間を保って上部妻板２２Ｄ，２２Ｄが連結される。これらの隙間を埋めるように、補助板２５が同一板面上に連結されている。
【００３９】
図７（Ａ）に示すように、棺本体２０の展開紙Ｐ2は、底板２２Ａの横方向両側に縦Ｖ溝ｙ1，ｙ1を隔てて側板２２Ｂ，２２Ｂが設けられ、底板２２Ａの縦方向両側に横Ｖ溝ｘ1を隔てて下部妻板２２Ｃが設けられる。側板２２Ｂの開口端部を縦方向に延長する位置には、横Ｖ溝ｘ2を隔てて上部妻板２２Ｄ，２２Ｄが設けられる。
下部妻板２２Ｃの横方向両側には、上部妻板２２Ｄとの間に横幅ｈの間隔が保たれ、この横幅ｈは、下部妻板２２Ｃおよび上部妻板２２Ｄの縦寸法ｈと同一長さに設定される。
【００４０】
上部妻板２２Ｄ，２２Ｄの縦寸法ｈは、下部妻板２２Ｃの横寸法の１／５程度の長さに設定される。
上部妻板２２Ｄ，２２Ｄと下部妻板２２Ｃの先端位置は、直線上に揃えて形成されている。
側板２２Ｂと上部妻板２２Ｄ，２２Ｄの開口端部には、一定幅の折返し板２２ＥがそれぞれＷ溝により折り返されている。
【００４１】
図７（Ｂ）に示すように、補助板２５の展開紙は、矩形の段ボール板からなり、その縦寸法が上部妻板２２Ｄの横寸法に一致し、その横寸法が［下部妻板２２Ｃの横寸法−（上部妻板２２Ｄの縦寸法×２）］の長さに一致する。補助板２５の図で下端側には展開紙Ｐ2と同一幅の折返し板２５ＥがＷ溝によって折り返されている。
【００４２】
展開紙Ｐ2を組み立てる場合、底板２２Ａに対して側板２２Ｂと下部妻板２２Ｃをそれぞれ縦Ｖ溝ｙ1，横Ｖ溝ｘ１に沿って垂直に折り曲げる。次いで、側板２２Ｂに対し横Ｖ溝ｘ2に沿って上部妻板２２Ｄ，２２Ｄを内向き垂直に折り曲げると、下板妻板２２Ｃの上方に上部妻板２２Ｄ，２２Ｄが矩形の隙間を保って連結される。この隙間に補助板２５を嵌め込み、下板妻板２２Ｃおよび上部妻板２２Ｄ，２２Ｄの各端面に接着して棺本体２２を完成させる。
【００４３】
第２実施形態によれば、展開紙Ｐ2における上部妻板２２Ｄおよび下部妻板２２Ｃの縦寸法を、下部妻板２２Ｄの横寸法の１／５程度の設定することができるため、第１実施形態よりも展開紙Ｐ2の展開長を大幅に短縮することがきる。
【００４４】
なお、上部妻板２２Ｄおよび下部妻板２２Ｃの縦寸法については、補助板２５のサイズを拡大することによりさらに短くすることもできる。実用的な上部妻板２２Ｄおよび下部妻板２２Ｃの長さとしては少なくとも２〜３ｃｍ程度の長さを確保するとよい。
【００４５】
また、第２実施形態においても、下部妻板２２Ｃおよび上部妻板２２Ｄの連結部分が、それぞれ横Ｖ溝ｘ1，ｘ2で折り曲げられるため、これらの連結角部の寸法精度および強度を高めて段ボール棺の品質を高めることができる。
さらに、展開紙Ｐ2における上部妻板２２Ｄおよび下部妻板２２Ｃの縦方向の先端位置がが直線上に揃うため、展開紙Ｐ2の作製時の加工が行いやすく、矩形の段ボール板を効率よく使用することができる。
【００４６】
［第３実施形態］
図８および図９に第３実施形態を示した。
第３実施形態は、第２実施形態における棺本体２０の下部妻板２２Ｃと上部妻板２２Ｄの長さ関係を逆にしたものである。
図８に示すように、棺本体３０は、側板３２Ｂ，３２Ｂと同一長さの上部妻板３２Ｄ，３２Ｄの間に、補助板３５と下部妻板３２Ｃとが上下に並んで同一板面上に連結される。
【００４７】
図９（Ａ）に示すように、棺本体３０の展開紙Ｐ3は、底板３２Ａの横方向両側に縦Ｖ溝ｙ1，ｙ1を隔てて側板３２Ｂ，３２Ｂが設けられ、底板３２Ａの縦方向両側に横Ｖ溝ｘ1を隔てて下部妻板３２Ｃが設けられる。側板３２Ｂの開口端部を縦方向に延長する位置には、横Ｖ溝ｘ2を隔てて上部妻板３２Ｄ，３２Ｄが設けられている。
下部妻板３２Ｃの横方向両側には、上部妻板３２Ｄとの間に横幅ｈの間隔が保たれ、この横幅ｈは、上部妻板３２Ｄおよび下部妻板３２Ｃの縦寸法ｈと同一長さに設定される。
【００４８】
上部妻板３２Ｄ，３２Ｄの縦寸法ｈは、第３実施形態と同様に、下部妻板２２Ｃの横寸法の１／５程度の長さに設定される。
上部妻板３２Ｄ，３２Ｄと下部妻板３２Ｃの先端位置は、同一直線上に揃えて形成されている。
側板３２Ｂと上部妻板３２Ｄ，３２Ｄの開口端部には、一定幅の折返し板３２ＥがそれぞれＷ溝により折り返されている。
【００４９】
図９（Ｂ）に示すように、補助板３５の展開紙は、第２実施形態と同一寸法で形成されており、その下端側には展開紙Ｐ3と同一幅の折返し板３５ＥがＷ溝によって折り返されている。
【００５０】
展開紙Ｐ3を組み立てる場合、底板３２Ａに対して側板３２Ｂと下部妻板３２Ｃをそれぞれ縦Ｖ溝ｙ1，横Ｖ溝ｘ１に沿って垂直に折り曲げ、側板３２Ｂに対し横Ｖ溝ｘ2に沿って上部妻板３２Ｄ，３２Ｄを垂直に折り曲げると、下部妻板３２Ｃの左右に上部妻板３２Ｄ，３２Ｄが矩形の隙間を保って連結される。この隙間に補助板３５を嵌め込み、下板妻板３２Ｃおよび上部妻板３２Ｄ，３２Ｄの各端面に接着して棺本体３０を完成させる。
【００５１】
第３実施形態によれば、第２実施形態と同様に、展開紙Ｐ3の展開長を大幅に短くすることができ、下部妻板３２Ｃと上部妻板３２Ｄ，３２Ｄの連結角部の寸法精度および強度を良好に保つことができる。
また、第３実施形態では、側板３２Ｂと上部妻板３２Ｄ，３２Ｄとが同一長さで横Ｖ溝ｘ2で折り曲げられるため、これらの連結角部の切れ目がなくなって棺本体３０の外観の品質がさらに向上する。
【００５２】
［第４実施形態］
本発明の第４実施形態を図１０および図１１に示した。
第４実施形態は、下部妻板４２Ｃと上部妻板４２Ｄ，４２Ｄとの境界線を妻板底辺の両端に向けて山状に傾斜させたものである。
図１０に示すように、棺本体４０は、底板４２Ａの横寸法と同じ長さの底辺をもつ下部妻板４２Ｃが二等辺三角形の形状になっており、この三角形の２辺に上部妻板４２Ｄ，４２Ｄの下端が連結されている。
【００５３】
図１１に示すように、棺本体４０の展開紙Ｐ4は、矩形の底板４２Ａの横方向両側に縦Ｖ溝ｙ1，ｙ1を隔てて側板４２Ｂ，４２Ｂが設けられ、底板４２Ａの縦方向両側に横Ｖ溝ｘ1を隔てて二等辺三角形の下部妻板４２Ｃが設けられる。側板４２Ｂの開口端部を縦方向に延長する位置には、横Ｖ溝ｘ2，ｘ2を隔てて上部妻板４２Ｄ，４２Ｄが設けられている。
下部妻板４２Ｃの横方向両側には、９０゜角で開放する隙間が保たれており、下部妻板４２Ｃの傾斜辺と、上部妻板４２Ｄの傾斜辺とが同一の長さに設定される。
【００５４】
上部妻板４２Ｄ，４２Ｄの縦寸法ｈは、第１実施形態と同様に、下部妻板４２Ｃの横寸法（底辺長さ）の１／２の長さに設定される。
上部妻板４２Ｄ，４２Ｄの先端位置は、同一直線上に揃えて形成されている。
側板４２Ｅと上部妻板４２Ｄ，４２Ｄの開口端部には、一定幅の折返し板４２ＥがそれぞれＷ溝により折り返されている。
【００５５】
展開紙Ｐ4を組み立てる場合、底板４２Ａに対して側板４２Ｂと下部妻板４２Ｃをそれぞれ縦Ｖ溝ｙ1，横Ｖ溝ｘ１に沿って垂直に折り曲げ、側板４２Ｂに対し横Ｖ溝ｘ2に沿って上部妻板４２Ｄ，４２Ｄを垂直に折り曲げる。すると、下板妻板４２Ｃの左右に傾斜する２辺に、上部妻板４２Ｄ，４２Ｄの下端の傾斜辺が連結されて、図１０に示すように矩形の妻板となる。そして、各板の連結面を接着して固定することで、箱状の棺本体４０が完成する。
【００５６】
第４実施形態によれば、前述の第１実施形態と同様な効果が得られる他、下部妻板４２Ｃと上部妻板４２Ｄ，４２Ｄとの境界線を妻板底辺の両端に向けて傾斜させるため、下部妻板４２Ｃの折り目（連結角部）と、上部妻板４２Ｄの折り目（連結角部）とが、底板４２Ａと側板４２Ｂとの連結面にそれぞれ連続して形成されることになる。これにより、妻板四辺の連結角部の寸法精度および強度が良好になって外観の仕上がりがさらに向上するという効果が得られる。
【００５７】
［第５実施形態］
本発明の第５実施形態を図１２および図１３に示した。
第５実施形態は、棺本体５０の下部妻板５２Ｃおよび上部妻板５２Ｄ，５２Ｄに補助板５５を連結するとともに、下部妻板５２Ｃと上部妻板５２Ｄ，５２Ｄとの境界線を妻板底辺の両端に向けて傾斜させたものである。
図１２に示すように、棺本体５０は、下部妻板５２Ｃの上方に矩形の隙間を保って上部妻板５２Ｄ，５２Ｄが連結され、これらの矩形の隙間を埋めるように、補助板５５が同一板面上に連結される。下部妻板５２Ｃは、底板５２Ａの横寸法と同じ長さの長辺をもつ等辺台形になっており、この台形の２辺に上部妻板５２Ｄ，５２Ｄの下端が連結されている。
【００５８】
図１３（Ａ）に示すように、棺本体５０の展開紙Ｐ5は、矩形の底板５２Ａの横方向両側に縦Ｖ溝ｙ1，ｙ1を隔てて側板５２Ｂ，５２Ｂが設けられ、底板５２Ａの縦方向両側に横Ｖ溝ｘ1を隔てて下部妻板５２Ｃが設けられる。側板５２Ｂの開口端部を縦方向に延長する位置には、横Ｖ溝ｘ2を隔てて等辺台形の上部妻板５２Ｄ，５２Ｄが設けられている。
下部妻板５２Ｃの横方向両側には、９０゜角で開放する隙間が保たれており、下部妻板５２Ｃの傾斜辺と、上部妻板５２Ｄの傾斜辺とが同一の長さに設定される。
【００５９】
上部妻板５２Ｄ，５２Ｄの縦寸法ｈは、第２および第３実施形態と同様に、下部妻板４２Ｃの底辺（横寸法）の１／５程度の長さに設定される。
上部妻板５２Ｄ，５２Ｄと下部妻板５２Ｃ先端位置は、同一直線上に一致している。
側板５２Ｅと上部妻板５２Ｄ，５２Ｄの開口端部には、一定幅の折返し板５２ＥがそれぞれＷ溝により折り返されている。
【００６０】
図１３（Ｂ）に示すように、補助板５５の展開紙は、第２および第３実施形態と同一寸法で形成されており、その下端側には展開紙Ｐ5と同一幅の折返し板５５ＥがＷ溝によって折り返されている。
【００６１】
展開紙Ｐ5を組み立てる場合、底板５２Ａに対して側板５２Ｂと下部妻板５２Ｃをそれぞれ縦Ｖ溝ｙ1，横Ｖ溝ｘ１に沿って内向き垂直に折り曲げ、側板５２Ｂに対し横Ｖ溝ｘ2に沿って上部妻板５２Ｄ，５２Ｄを垂直に折り曲げる。すると、下板妻板５２Ｃの左右に傾斜する２辺に、上部妻板５２Ｄ，５２Ｄの下端の傾斜辺が連結されて、これらの間に矩形の隙間が形成される。この隙間に補助板５５を嵌め込み、下板妻板５２Ｃおよび上部妻板５２Ｄ，５２Ｄの各端面に接着して棺本体５２を完成させる。
【００６２】
第５実施形態によれば、前述の第１〜４実施形態による効果をすべて同時に併せもつことができる。すなわち、展開紙Ｐ5における上部妻板５２Ｄおよび下部妻板５２Ｃの縦寸法が下部妻板５２Ｃの１／５程度に設定されるため、展開紙Ｐ5の展開長を大幅に短くすることができる。
また、下部妻板５２Ｃと上部妻板５２Ｄ，５２Ｄとの境界線を妻板底辺の両端に向けて傾斜させるため、下部妻板５２Ｃの折り目（連結角部）と上部妻板５２Ｄの折り目（連結角部）が、それぞれ底板５２Ａと側板５２Ｂとの連結面に連続して形成される。このため、妻板四辺の連結角部の寸法精度および強度が良好になって外観の仕上がりがさらに向上する。
さらには、展開紙Ｐ5における上部妻板５２Ｄおよび下部妻板５２Ｃの縦方向の先端位置が直線上に揃うため、展開紙Ｐ5の作製時の加工が行いやすく、矩形の段ボール板を効率よく使用することができる。
【００６３】
［第６実施形態］
本発明の第６実施形態を図１４および図１５に示した。
第６実施形態は、平面形状が八角形である段ボール棺に本発明を適用したものである。前述した第１〜５実施形態では、平面形状が四角形である段ボール棺に本発明を適用したが、以下に説明するように、平面形状が八角形である段ボール棺にも本発明を適用することができる。このタイプの棺は、段ボール棺の平面方向から見た四隅部がカットされた形状を有しており、棺形状を構成する面が増えて高級感のある仕上がりとなる。
【００６４】
第６実施形態の段ボール棺６０は、平面方向から見た形状が八角形の棺本体６２と蓋６３とを有している（図１４参照）。蓋６３には窓枠６４が取り付けられる。棺本体６２の上端に蓋６３が開閉可能に載置される。
【００６５】
図１５に示すように、棺本体６２の展開紙Ｐ6は、八角形の底板６２Ａの横方向両側に縦Ｖ溝ｙ1，ｙ1を隔てて側板６２Ｂ，６２Ｂが設けられ、底板６２Ａの縦方向両側には、横Ｖ溝ｘ1，ｘ1を隔てて下部妻板６２Ｃが設けられる。側板６２Ｂの縦方向両側には、横Ｖ溝ｘ3，ｘ3を隔てて角取り板６２Ｆが設けられ、これらの角取り板６２Ｆを縦方向に延長する位置に、横Ｖ溝ｘ4，ｘ4を隔てて上部妻板６２Ｄ，６２Ｄが設けられている。
【００６６】
縦Ｖ溝ｙ1と横Ｖ溝ｘ1は、前述した実施形態１〜５と同様に、９０゜角のＶ字断面で形成されており、横Ｖ溝ｘ3と横Ｖ溝ｘ4については、４５゜角のＶ字断面に形成される。角取り板６２Ｆは、側板６２Ｂと妻板（下部妻板６２Ｃおよび上部妻板６２Ｄ）との間に平面方向から観て４５゜角度で連結されることになる。
下部妻板６２Ｃの横方向両側には、上部妻板６２Ｄとの間に段差状の隙間が形成される。この隙間内の角取り板６２Ｆの横寸法は、下部妻板６２Ｃの縦寸法に等しく、角取り板６２Ｆの縦寸法は、底板６２Ａの角部の傾斜辺の長さに等しい。
【００６７】
上部妻板６２Ｄ，６２Ｄの縦寸法ｈは、下部妻板６２Ｃの横寸法２ｈの１／２の長さに設定される。
上部妻板６２Ｄ，６２Ｄの縦寸法ｈと下部妻板６２Ｃの先端位置は、直線上に一致している。
側板６２Ｅと上部妻板６２Ｄ，６２Ｄの開口端部には、一定幅の折返し板６２ＥがそれぞれＷ溝により折り返されている。
【００６８】
展開紙Ｐ6を組み立てる場合、底板６２Ａに対して側板６２Ｂと下部妻板６２Ｃをそれぞれ縦Ｖ溝ｙ1，横Ｖ溝ｘ1に沿って垂直に折り曲げる。
次いで、側板６２Ｂに対して横Ｖ溝ｘ3に沿って角取り板６２Ｆ，６２Ｆを、横Ｖ溝ｘ4に沿って上部妻板６２Ｄ，５２Ｄをそれぞれ内向き４５゜角で折り曲げる。すると、図１４に示すように、底板６２Ａの各辺に角取り板６２Ｆと下部妻板６２Ｃの下端が連結されるとともに、下部妻板６２Ｃの上端に上部妻板６２Ｄ，６２Ｄの下端が載った状態で連結され、２枚の上部妻板６２Ｄ，６２Ｄの先端が底板６２Ａの横寸法の中間位置で一致して連結される。そして、これらの連結面を接着して固定することで、箱状の棺本体６２が完成する。
【００６９】
第６実施形態によっても、下部妻板６２Ｃから上部妻板６２Ｄ，６２Ｄが分離してその縦方向長さが下部妻板６２Ｃと等しい長さに形成されるため、展開紙Ｐ6の展開長が底板６２Ａの縦方向に妻板を一体的に連結するのに比べ大幅に短くすることができる。
また、下部妻板６２Ｃと上部妻板６２Ｄが横Ｖ溝ｘ1，ｘ4で折り曲げられてそれぞれ底板６２Ａと角取り板６２Ｆとに連結されるため、各板の連結角部の精度および強度が良好になり、段ボール棺６０の品質を高めることができる。
さらには、下部妻板６２Ｃと上部妻板６２Ｄ，６２Ｄとの縦方向の先端位置が直線上に揃うため、展開紙Ｐ6の作製時の切断工程を簡略化することができ、端切れ材の発生も少なくすることができる。
【００７０】
なお、図１４および図１５に示す例は、下部妻板６２Ｃと上部妻板６２Ｄ，６２Ｄにより妻板面を構成するものであるが、第６実施形態の変形例としては、前述した第２〜第５実施形態に示すように、下部妻板と上部妻板に加えて補助板を連結してもよいし、また、下部妻板６２Ｃおよび上部妻板６２Ｄ，６２Ｄの境界線を、妻板底辺の両端に向けて傾斜させるようにしてもよい。
【００７１】
［第７実施形態］
本発明の第７実施形態を図１６および図１７に示した。
第７実施形態は、上部妻板７２Ｄ，７２Ｄと下部妻板７２Ｃの板面に補助板７５を固定したものである。
図１６に示すように、棺本体７０は、前述の第２実施形態と同様な構成の底板７２Ａ、側板７２Ｂ、下部妻板７２Ｃ、上部妻板７２Ｄ，７２Ｄおよび折返し板７２Ｅを有している。上部妻板７２Ｄ，７２Ｄと下部妻板７２Ｃの外側面には、補助板７５が接着され、矩形の隙間を覆っている。
【００７２】
補助板７５は、例えば、段ボール板をＶ溝加工用の回転刃で矩形に切断し、この溝中心線に沿って矩形の紙片を切り離すことにより作製することができる。このように作製することで、補助板７５の端面が傾斜面になって、上部妻板７２Ｄ，７２Ｄおよび下部妻板７２Ｃへ繋がる連結部分に段差がなくなり、棺本体７０の外観形状の品質が向上する。
【００７３】
第７実施形態の構成によれば、上部妻板７２Ｄ，７２Ｄと下部妻板７２Ｃの板面に補助板７５を重ねて接着する構成であるため、補助板７５に高い寸法精度が要求されない。このため、棺本体７０の作製がさらに容易になる。
【００７４】
図１６では、平面形状が四角形タイプの段ボール棺に補助板７５を接着しているが、図１７（Ａ）に示すように、角取り面７２Ｆを有する平面八角形タイプの段ボール棺に補助板７５を適用することもできる。
また、図１７（Ｂ）に示すように、補助板７５の接着面は、上部妻板７２Ｄ，７２Ｄおよび下部妻板７２Ｃの外側に限定されず、これらの内側面に重ねて補助板７５を接着固定してもよい。
さらには、図１７（Ｃ）に示すように、補助板７７をアーチ形に曲げて上部妻板７２Ｄ，７２Ｄおよび下部妻板７２Ｃの外側面に接着固定して、より立体感のある妻板形状にしてもよい。その他、補助板の形状を自在に設計して妻板のデザイン性を高めるといったことも容易になる。
【００７５】
［その他の実施形態］
以上、第１〜第７実施形態を説明したが、本発明の実施形態はこれらに限定されることなく、種々の変形・変更を伴ってもよい。例えば第１〜第７実施形態では、段ボール棺の棺本体に本発明を適用しているが、段ボール棺の蓋にも本発明を適用してもよい。
第１〜第７実施形態では、側板および妻板の開口端部に折返し板を形成しているが、これらの折返し板は必ずしも設ける必要はなく、必要に応じて省略した構成としてもよい。
展開紙における上部妻板の縦寸法は、棺本体の高さより短いものであれば、必ずしも左右両側で同一の長さでなくてもよく、いずれか一方を他方よりも短くしてもよい。
また、第１〜第７実施形態では、展開紙における上部妻板と下部妻板との縦方向の先端位置を直線上に揃えているが、これらの先端位置に段差が生じるようにしてもよい。
さらに、展開紙を作製するための段ボール材は、三層強化段ボールに限られず、その他の多層段ボール材、ハニカム構造の段ボール材等を用いてもよい。
【図面の簡単な説明】
【００７６】
【図１】本発明の第１実施形態の段ボール棺を示す斜視図である。
【図２】同段ボール棺を示すもので図１のII−II線断面図およびＲ部分の拡大断面図である。
【図３】同段ボール棺の棺本体の展開紙を示す平面図およびその破線方向の端面図である。
【図４】同展開紙を作製するための段ボール板を示す平面図およびその破線方向の端面図である。
【図５】同展開紙の組み立て工程を説明するための部分切欠き斜視図である。
【図６】本発明の第２実施形態の段ボール棺を示す部分切欠き斜視図である。
【図７】同段ボール棺の棺本体の展開紙を示すもので、（Ａ）は部分切欠き平面図およびその破線方向の端面図、（Ｂ）は補助板の平面図およびその破線方向の端面図である。
【図８】本発明の第３実施形態の段ボール棺を示す部分切欠き斜視図である。
【図９】同段ボール棺の棺本体の展開紙を示すもので、（Ａ）は部分切欠き平面図およびその破線方向の端面図、（Ｂ）は補助板の平面図およびその破線方向の端面図である。
【図１０】本発明の第４実施形態の段ボール棺を示す部分切欠き斜視図である。
【図１１】同段ボール棺の棺本体の展開紙を示す部分切欠き平面図およびその破線方向の端面図である。
【図１２】本発明の第５実施形態の段ボール棺を示す部分切欠き斜視図である。
【図１３】同段ボール棺の棺本体の展開紙を示すもので、（Ａ）は部分切欠き平面図およびその破線方向の端面図、（Ｂ）は補助板の平面図およびその破線方向の端面図である。
【図１４】本発明の第６実施形態の段ボール棺を示す斜視図である。
【図１５】同段ボール棺の棺本体の展開紙を示す平面図およびその破線方向の端面図である。
【図１６】本発明の第７実施形態の段ボール棺を示す部分切欠き斜視図である。
【図１７】同段ボール棺の変形例を示す部分切り欠き平面図である。
【図１８】従来の段ボール棺を示す斜視図である。
【図１９】同段ボール棺の棺本体の展開紙を示す平面図および破線方向の端面図である。
【符号の説明】
【００７７】
１０      段ボール棺（第１実施形態）
１２      棺本体
１３      蓋
１２Ａ    底板
１２Ｂ    側板
１２Ｃ    下部妻板
１２Ｄ    上部妻板
１２Ｅ    折返し板
２５      補助板（第２実施形態）
７５      補助板（第７実施形態）
ｈ      上部妻板の縦寸法
２ｈ      下部妻板の横寸法
Ｌ      展開長
Ｐ1〜Ｐ6    展開紙
Ｑ      段ボール板
ｘ1，ｘ2，ｘ3，ｘ4，  横Ｖ溝
ｙ1    縦Ｖ溝
ｙ2    Ｗ溝
【図１】
2008161509.tif 000003
【図２】
2008161509.tif 000004
【図３】
2008161509.tif 000005
【図４】
2008161509.tif 000006
【図５】
2008161509.tif 000007
【図６】
2008161509.tif 000008
【図７】
2008161509.tif 000009
【図８】
2008161509.tif 000010
【図９】
2008161509.tif 000011
【図１０】
2008161509.tif 000012
【図１１】
2008161509.tif 000013
【図１２】
2008161509.tif 000014
【図１３】
2008161509.tif 000015
【図１４】
2008161509.tif 000016
【図１５】
2008161509.tif 000017
【図１６】
2008161509.tif 000018
【図１７】
2008161509.tif 000019
【図１８】
2008161509.tif 000020
【図１９】
2008161509.tif 000021